(57)【要約】【課題】  固体レーザ媒質が破壊されたときにも励起光源を保護することができる光増幅器を提供する。【解決手段】  励起光源３２ａ，３２ｂから出力された励起光は、光ガイド部３６ａ，３６ｂを透過し、さらにウィンドウ部３５ａ，３５ｂを透過して、固体レーザ媒質３１に照射される。固体レーザ媒質３１への励起光照射により、固体レーザ媒質３１において所定波長の光が光増幅される。仮にウィンドウ部３５ａ，３５ｂが破壊されて冷却水が流れ出すというような事態になったとしても、光源収納部３４ａ，３４ｂの内部に収納された励起光源３２ａ，３２ｂは冷却水により汚染されることはない。【選択図】  図２
2005158886.tif 000002
【特許請求の範囲】
【請求項１】
励起光が照射されることにより所定波長の光を誘導放射し得る固体レーザ媒質と、
前記固体レーザ媒質を内部に収納し、前記励起光を外部から内部へ透過させるウィンドウ部を有するとともに、内部に水を流して前記固体レーザ媒質を水冷する水冷手段を有する媒質収納部と、
前記励起光を出力する励起光源と、
前記励起光源を内部に収納し、前記励起光源から出力された励起光を内部から外部へ透過させ該励起光の発散を抑制する光ガイド部を有し、この光ガイド部を透過した励起光を前記ウィンドウ部を経て前記固体レーザ媒質に照射させる光源収納部と、
を備えることを特徴とする光増幅器。
【請求項２】
前記励起光源がレーザダイオードアレイまたはレーザダイオードアレイスタックを含むことを特徴とする請求項１記載の光増幅器。
【請求項３】
前記光源収納部が複数の前記励起光源を内部に収納しており、これら複数の励起光源それぞれの励起光出射方向が前記固体レーザ媒質の中心部の方向に傾いている、ことを特徴とする請求項１記載の光増幅器。
【請求項４】
前記光源収納部が複数の前記励起光源を内部に収納しており、これら複数の励起光源それぞれの励起光出射方向が前記固体レーザ媒質の端部の方向に傾いている、ことを特徴とする請求項１記載の光増幅器。
【請求項５】
前記光源収納部の内部から外部へ向かって前記光ガイド部の断面形状の幅が次第に小さくなることを特徴とする請求項１記載の光増幅器。
【請求項６】
前記光源収納部が複数の前記励起光源を内部に収納しており、これら複数の励起光源の配置に応じて前記光ガイド部の励起光入射面が分割され、その分割された各々の面に垂直な方向が前記固体レーザ媒質の中心部の方向に傾いている、ことを特徴とする請求項１記載の光増幅器。
【請求項７】
前記複数の励起光源それぞれの励起光出射方向が前記固体レーザ媒質の中心部の方向に傾いていることを特徴とする請求項７記載の光増幅器。
【請求項８】
請求項１〜７の何れか１項に記載の光増幅器と、
この光増幅器に含まれる固体レーザ媒質を共振光路上に有する共振器と、
を備えることを特徴とするレーザ発振器。
【請求項９】
光を出力する光源と、
この光源から出力された光を入力し光増幅して出力する請求項１〜７の何れか１項に記載の光増幅器と、
を備えることを特徴とするＭＯＰＡレーザ装置。
【発明の詳細な説明】
【技術分野】
【０００１】
本発明は、所定波長の光を誘導放射して光増幅し得る光増幅器、該光増幅器を共振器内に含むレーザ発振器、および、光源と該光増幅器とを含むＭＯＰＡ（Main Oscillator Power Amplifier）レーザ装置に関するものである。
【背景技術】
【０００２】
固体レーザ媒質を含む光増幅器が知られている（例えば非特許文献１を参照）。この光増幅器では、固体レーザ媒質に励起光を照射して、この固体レーザ媒質に含まれている活性元素（例えば希土類元素や遷移元素）を励起し、この固体レーザ媒質における誘導放射現象を利用して所定波長の光を光増幅する。また、この光増幅器と共振器とからレーザ発振器が構成され、光源と光増幅器とからＭＯＰＡレーザ装置が構成され得る。例えば、固体レーザ媒質はＮｄドープガラスであり、励起光源はレーザダイオードアレイであり、光増幅し得る光の波長は１０５３ｎｍである。
【０００３】
このような構成の光増幅器では、動作時に固体レーザ媒質が高温になることから、固体レーザ媒質を冷却する必要がある。そこで、固体レーザ媒質を媒質収納部の内部に収納して、この媒質収納部の内部に水を流して固体レーザ媒質を水冷する。また、媒質収納部に透明なウィンドウ部を設けて、このウィンドウ部を経て励起光を外部から内部へ透過させ、その励起光を固体レーザ媒質に照射させる。
【非特許文献１】T. Kawashima, et al., "Design and Performance of a Diode-Pumped Nd:Silica-Phosphate Glass Zig-Zag Slab Laser Amplifier for Inertial Fusion Energy", Jpn.J.Appl.Phys., Vol.40, Pt.1, No.11, pp.6415-6425 (2001)
【発明の開示】
【発明が解決しようとする課題】
【０００４】
上記のような構成の光増幅器では、光増幅の利得を大きくしようとすると、固体レーザ媒質に照射される励起光のエネルギを大きくする必要がある。例えば、励起効率が０.５であるとすると、固体レーザ媒質に照射される励起光のエネルギの半分以上が熱エネルギに変換されてしまうことになり、その熱エネルギが数十Ｊにもなる場合がある。したがって、冷却水による固体レーザ媒質の冷却が効果的に行われる必要がある。
【０００５】
しかし、仮に何らかの理由で冷却が効果的に行われなくなると、固体レーザ媒質が破壊される可能性がある。そして、固体レーザ媒質が破壊されると、更にウィンドウ部も破壊され、媒質収納部から外部へ冷却水が流れ出して、この冷却水により励起光源が汚染される事態が生じることになる。このような事態が生じると、光増幅器の構成部品を交換する手間が必要となるだけでなく、コストも高くなる。
【０００６】
本発明は、上記問題点を解消する為になされたものであり、固体レーザ媒質が破壊されたときにも励起光源を保護することができる光増幅器、ならびに、このような光増幅器を含むレーザ発振器およびＭＯＰＡレーザ装置を提供することを目的とする。
【課題を解決するための手段】
【０００７】
本発明に係る光増幅器は、(1) 励起光が照射されることにより所定波長の光を誘導放射し得る固体レーザ媒質と、(2) 固体レーザ媒質を内部に収納し、励起光を外部から内部へ透過させるウィンドウ部を有するとともに、内部に水を流して固体レーザ媒質を水冷する水冷手段を有する媒質収納部と、(3) 励起光を出力する励起光源と、(4) 励起光源を内部に収納し、励起光源から出力された励起光を内部から外部へ透過させ該励起光の発散を抑制する光ガイド部を有し、この光ガイド部を透過した励起光をウィンドウ部を経て固体レーザ媒質に照射させる光源収納部と、を備えることを特徴とする。また、励起光源がレーザダイオードアレイまたはレーザダイオードアレイスタックを含むのが好適である。
【０００８】
この光増幅器では、光源収納部の内部に収納された励起光源から出力された励起光は、光源収納部の一部に設けられた光ガイド部を透過し、さらに、媒質収納部の一部に設けられたウィンドウ部を透過して、媒質収納部の内部に収納されている固体レーザ媒質に照射される。そして、固体レーザ媒質への励起光照射により、固体レーザ媒質に含まれる活性元素が励起され、所定波長の光が固体レーザ媒質に入射すると誘導放射が生じて、その所定波長の光が光増幅される。仮に固体レーザ媒質やウィンドウ部が破壊されて冷却水が流れ出すというような事態になったとしても、光源収納部の内部に収納された励起光源は冷却水により汚染されることはない。
【０００９】
本発明に係る光増幅器は、光源収納部が複数の励起光源を内部に収納しており、これら複数の励起光源それぞれの励起光出射方向が固体レーザ媒質の中心部の方向に傾いているのが好適である。この場合には、固体レーザ媒質の高さ方向の励起光照射分布が均一化される。
【００１０】
本発明に係る光増幅器は、光源収納部が複数の励起光源を内部に収納しており、これら複数の励起光源それぞれの励起光出射方向が固体レーザ媒質の端部の方向に傾いているのが好適である。この場合には、固体レーザ媒質における熱レンズ効果等の発生が抑制される。
【００１１】
本発明に係る光増幅器は、光源収納部の内部から外部へ向かって光ガイド部の断面形状の幅が次第に小さくなるのが好適である。この場合には、励起光の集光効果が得られ、固体レーザ媒質に照射される励起光のエネルギ密度が高まる。
【００１２】
本発明に係る光増幅器は、光源収納部が複数の励起光源を内部に収納しており、これら複数の励起光源の配置に応じて光ガイド部の励起光入射面が分割され、その分割された各々の面に垂直な方向が固体レーザ媒質の中心部の方向に傾いているのが好適である。また、複数の励起光源それぞれの励起光出射方向が固体レーザ媒質の中心部の方向に傾いているのが好適である。これらの場合には、固体レーザ媒質における熱レンズ効果等の発生が抑制される。
【００１３】
本発明に係るレーザ発振器は、上記の本発明に係る光増幅器と、この光増幅器に含まれる固体レーザ媒質を共振光路上に有する共振器と、を備えることを特徴とする。また、本発明に係るＭＯＰＡレーザ装置は、光を出力する光源と、この光源から出力された光を入力し光増幅して出力する上記の本発明に係る光増幅器と、を備えることを特徴とする。
【発明の効果】
【００１４】
本発明によれば、固体レーザ媒質が破壊されたときにも励起光源を保護することができる。
【発明を実施するための最良の形態】
【００１５】
以下、添付図面を参照して、本発明を実施するための最良の形態を詳細に説明する。なお、図面の説明において同一の要素には同一の符号を付し、重複する説明を省略する。
【００１６】
先ず、本実施形態に係るＭＯＰＡレーザ装置１について説明する。図１は、本実施形態に係るＭＯＰＡレーザ装置１の構成図である。この図に示されるＭＯＰＡレーザ装置１は、レーザ光源１１、光増幅器１２、ビームエクスパンダ１３、光学マスク１４、スペーシャルフィルタ１５、ファラデーローテータ１６、光増幅器１７、スペーシャルフィルタ１８およびポラライザ１９を備える。
【００１７】
レーザ光源１１は、レーザ光を出力するものである。このレーザ光源１１から出力される光の波長は、光増幅器１２および光増幅器１７それぞれにおいて光増幅され得る波長である。光増幅器１２は、レーザ光源１１から出力された光を入力し光増幅して出力する。ビームエクスパンダ１３は、光増幅器１２から出力されミラー２１により反射されて到達した光を入力し、この光のビーム径を大きくして出力する。光学マスク１４は、開口を有しており、ビームエクスパンダ１３から出力されミラー２２により反射されて到達した光を入力し、開口のみに光を透過させて、この光の空間分布形状を矩形状に整形して出力する。
【００１８】
スペーシャルフィルタ１５は、レンズ１５ａ，レンズ１５ｂおよびピンホール１５ｃを有している。また、スペーシャルフィルタ１８も、レンズ１８ａ，レンズ１８ｂおよびピンホール１８ｃを有している。レンズ１５ａおよびレンズ１５ｂはケプラ型逆望遠系の共焦点光学系を構成しており、レンズ１８ａおよびレンズ１８ｂもケプラ型逆望遠系の共焦点光学系を構成しており、これらは光学マスク１４の位置における光のビーム断面形状を次々に像転送するものである。
【００１９】
ピンホール１５ｃはレンズ１５ａとレンズ１５ｂとの間の焦点位置にあり、ピンホール１８ｃはレンズ１８ａとレンズ１８ｂとの間の焦点位置にある。これらピンホール１５ｃおよびピンホール１８ｃは空間的な高調波成分を除去するために設けられている。また、ピンホール１５ｃおよびピンホール１８ｃそれぞれは、集光位置に設けられることから、耐熱衝撃抵抗が大きく硬度が高い材料からなることが望ましく、セラミックスからなるのが好適であり、そのうちでも、アルミナ、窒化珪素、窒化炭素もしくは窒化ボロン、または、これらの混合物等からなるのが好適である。また、ピンホール１５ｃおよびピンホール１８ｃそれぞれの開口形状は、光学マスク１４の開口形状をフーリエ変換した形状と略相似形であるのが好適である。
【００２０】
光増幅器１７は、固体レーザ媒質３１、励起光源３２ａおよび励起光源３２ｂを含む。固体レーザ媒質３１に照射されるべき励起光を出力する励起光源３２ａおよび励起光源３２ｂは、好適にはレーザダイオードアレイまたはレーザダイオードアレイスタックを含む。固体レーザ媒質３１は、励起光が照射されることにより所定波長の光を誘導放射し得るものであり、スラブ形状のガラスからなる。光増幅されるべき光は、固体レーザ媒質３１の端面に斜めに入射し、固体レーザ媒質３１の側面で繰り返し反射されながら、固体レーザ媒質３１内をジグザグに進む。この光増幅器１７は、ミラー２３から固体レーザ媒質３１の第１端面に入力した光を該固体レーザ媒質３１において光増幅し、その光増幅した後の光を第２端面からミラー２４へ出力する。また、光増幅器１７は、ミラー２４から固体レーザ媒質３１の第２端面に入力した光を該固体レーザ媒質３１において光増幅し、その光増幅した後の光を第１端面からミラー２５へ出力する。固体レーザ媒質３１の第１端面および第２端面それぞれには、反射低減膜が形成されている。
【００２１】
ファラデーローテータ１６は、スペーシャルフィルタ１５とミラー２６との間の光路上に設けられ、光の偏光方位を２回の通過で９０度回転させ、また、熱複屈折の補償を図る。ポラライザ１９は、スペーシャルフィルタ１５から出力されて到達した光のうち特定方位の偏光成分の光を選択的に反射させて、この反射光をＭＯＰＡレーザ装置１の出力光とする。
【００２２】
このＭＯＰＡレーザ装置１は以下のように動作する。レーザ光源１１から出力された光は、光増幅器１２により光増幅され、ビームエクスパンダ１３によりビーム径が拡大されて、光学マスク１４に入力する。この光学マスク１４によりビーム断面形状が矩形状とされた光は、スペーシャルフィルタ１５、ミラー２３、光増幅器１７、ミラー２４、スペーシャルフィルタ１８、ミラー２７、ミラー２８、スペーシャルフィルタ１８、ミラー２５、光増幅器１７、ミラー２６、ファラデーローテータ１６およびスペーシャルフィルタ１５を順に経て、ミラー２９に到達する。この光学マスク１４からミラー２９に到るまでの光路を往路として、ミラー２９に到達して反射された光は、往路と同一の光路である復路を経てポラライザ１９に到達する。
【００２３】
これら往路（光学マスク１４からミラー２９に到るまでの光路）および復路（ミラー２９からポラライザ１９に到るまでの光路）の間に、光はファラデーローテータ１６を２回通過するので、合計で９０度だけ光の偏光方位が回転する。したがって、復路でポラライザ１９に到達した光はポラライザ１９により反射されて、この反射光がＭＯＰＡレーザ装置１の出力光となる。
【００２４】
また、往路および復路の間に、光学マスク１４の位置における光のビーム断面形状は、スペーシャルフィルタ１５またはスペーシャルフィルタ１８により、８回の像転送が為され、また、熱歪み等に因る空間的な高調波成分が除去される。これにより、ＭＯＰＡレーザ装置１の出力光は、回折が低減されたものとなる。また、往路および復路の間に光は光増幅器１７を４回通過して、その通過の度に光は光増幅器１７において光増幅される。
【００２５】
ＭＯＰＡレーザ装置１のより具体的な構成の一例は以下のとおりである。レーザ光源１１は、Ｎｄ:ＹＬＦを連続発振のレーザダイオードで励起する単一縦横シードレーザ光源と、Ｎｄ:ＹＬＦをレーザダイオードで励起するＱスイッチ光増幅器と、を含む構成のものであり、波長１０５３ｎｍの出力パルス光の立ち上がり時間を最小とするアルゴリズムでフィードバック制御して、単一モードの安定化を図る。光増幅器１２は、ロッド形状のＮｄ:ＹＬＦをレーザダイオードで励起する構成のものである。光増幅器１７に含まれる固体レーザ媒質３１は、スラブ形状のＮｄドープガラスであり、当該長手方向の両端面が光増幅される光の入出射面となる。励起光源３２ａおよび励起光源３２ｂそれぞれはレーザダイオードアレイスタックを含む。固体レーザ媒質３１に照射される励起光の全エネルギは４８Ｊであり、励起効率が０.５である。このとき、ポラライザ１９から出力される光のエネルギは１０Ｊである。
【００２６】
次に、本実施形態に係る光増幅器１７について詳細に説明する。図２は、本実施形態に係る光増幅器１７の断面図である。この図は、光増幅される光が固体レーザ媒質３１に入出射する面に平行な断面を示している。光増幅器１７は、前述した固体レーザ媒質３１および励起光源３２ａ，３２ｂを備える他、媒質収納部３３および光源収納部３４ａ，３４ｂをも備える。
【００２７】
媒質収納部３３は、固体レーザ媒質３１を内部に収納し、励起光を外部から内部へ透過させるウィンドウ部３５ａ，３５ｂを有する。また、媒質収納部３３は、内部に水を流して、固体レーザ媒質３１を水冷することができる。固体レーザ媒質３１を挟んでウィンドウ部３５ａとウィンドウ部３５ｂとが設けられている。ウィンドウ部３５ａおよびウィンドウ部３５ｂそれぞれは、平板状であって互いに平行であり、また、固体レーザ媒質３１の側面に平行である。ウィンドウ部３５ａの外側に光源収納部３４ａが配置され、ウィンドウ部３５ｂの外側に光源収納部３４ｂが配置される。
【００２８】
光源収納部３４ａは、励起光源３２ａを内部に収納し、励起光源３２ａから出力された励起光を内部から外部へ透過させる光ガイド部３６ａを一部に有する。この光ガイド部３６ａは、ウィンドウ部３５ａと対向する位置に設けられ、励起光を内部から外部へ透過させる際に該励起光の発散を抑制する。また、光源収納部３４ａは、内部に窒素ガスを流して、励起光源３２ａの光出射面および光ガイド部３６ａの内面を湿気から保護することができる。
【００２９】
光源収納部３４ｂは、励起光源３２ｂを内部に収納し、励起光源３２ｂから出力された励起光を内部から外部へ透過させる光ガイド部３６ｂを一部に有する。この光ガイド部３６ｂは、ウィンドウ部３５ｂと対向する位置に設けられ、励起光を内部から外部へ透過させる際に該励起光の発散を抑制する。また、光源収納部３４ｂは、内部に窒素ガスを流して、励起光源３２ｂの光出射面および光ガイド部３６ｂの内面を湿気から保護することができる。
【００３０】
光ガイド部３６ａ，３６ｂそれぞれの材質は、例えば、光学ガラス（ＢＫ７、合成石英、等）、透明な光学結晶、励起光吸収や光劣化が小さい合成樹脂などである。光ガイド部３６ａ，３６ｂそれぞれの励起光入射面および出射面は、光学研磨が施された上で反射低減膜が形成されていて、光の散乱や反射が低減されている。また、光ガイド部３６ａ，３６ｂそれぞれの側面は、光学研磨が施された上で、誘電体多層膜が形成されて励起光波長に対して高反射率とされており、或いは、周囲媒質の屈折率の方が小さく励起光が全反射するようになっている。
【００３１】
光ガイド部３６ａ，３６ｂそれぞれの側面に接する周囲媒質は、光ガイド部３６ａ，３６ｂの屈折率より小さい屈折率を有するものであるのが好適であり、例えば、空気などの気体である。ただし、光ガイド部３６ａ，３６ｂそれぞれの４つの側面の全域が空気に接するのではなく、光源収納部３４ａ，３４ｂに光ガイド部３６ａ，３６ｂが固定され得る程度に、且つ、仮にウィンドウ部３５ａ，３５ｂが破壊されたとしても冷却水によって励起光源３２ａ，３２ｂが汚染されない程度に、光ガイド部３６ａ，３６ｂそれぞれの４つの側面のうちの多くの部分が空気に接しているのが好ましい。
【００３２】
光ガイド部３６ａ，３６ｂの側面を傷つけないために、光源収納部３４ａ，３４ｂのうち光ガイド部３６ａ，３６ｂの側面に接する部分には、テフロン（登録商標）等の合成樹脂が用いられるのが好ましい。また、光ガイド部３６ａ，３６ｂは、励起光源３２ａ，３２ｂから出力された光を効率よく固体レーザ媒質３１に照射させるために、励起光源３２ａ，３２ｂより幾らか大きいのが好ましい。
【００３３】
また、固体レーザ媒質３１は、一方向に長いスラブ形状のものであって、当該長手方向の両端面が光増幅される光の入出射面となっている。この固体レーザ媒質３１の形状に合わせて、ウィンドウ部３５ａ，３５ｂそれぞれも長手方向に長い平板形状のものであり、光ガイド部３６ａ，３６ｂそれぞれも長手方向に長いスラブ形状のものである。励起光源３２ａ，３２ｂそれぞれはレーザダイオードアレイであり、各々のレーザダイオードの活性層からの励起光の出射方向は固体レーザ媒質３１の側面に垂直であり、出力励起光の拡がり角が３０deg程度と大きいファーストアクシス方向が長手方向とされている。このような形状とすることで励起光照射効率が高まる。また、レーザダイオードアレイが高さ方向に多段に設けられる場合には、ファーストアクシス方向を高さ方向とすることにより、高さ方向の励起光照射分布を均一化することができる。
【００３４】
この光増幅器１７は以下のように動作する。励起光源３２ａから出力された励起光は、光ガイド部３６ａを透過し、さらにウィンドウ部３５ａを透過して、固体レーザ媒質３１に照射される。励起光源３２ｂから出力された励起光は、光ガイド部３６ｂを透過し、さらにウィンドウ部３５ｂを透過して、固体レーザ媒質３１に照射される。そして、固体レーザ媒質３１への励起光照射により、固体レーザ媒質３１に含まれる活性元素が励起され、所定波長の光が固体レーザ媒質３１に入射すると誘導放射が生じて、その所定波長の光が光増幅される。
【００３５】
この光増幅器１７では、仮に固体レーザ媒質３１やウィンドウ部３５ａ，３５ｂが破壊されて冷却水が流れ出すというような事態になったとしても、光源収納部３４ａ，３４ｂの内部に収納された励起光源３２ａ，３２ｂは冷却水により汚染されることはない。したがって、励起光源３２ａ，３２ｂを保護することができ、光増幅器１７の構成部品（特に、励起光源３２ａ，３２ｂ）を交換する手間が無くなり、コストを低減できる。
【００３６】
このように光源収納部３４ａ，３４ｂの内部に励起光源３２ａ，３２ｂが収納されることにより、励起光源３２ａ，３２ｂと固体レーザ媒質３１との距離が長くなるので、固体レーザ媒質３１における励起光照射分布は均一化される。また、この励起光照射分布の均一化により、固体レーザ媒質３１の破壊の危険が低減される。
【００３７】
その一方で、仮に、光ガイド部３６ａ，３６ｂが単に励起光を透過させるだけのものであると、励起光源３２ａ，３２ｂから出力された励起光は、固体レーザ媒質３１に到達するまで発散し続けて、照射効率が悪くなる。しかし、本実施形態では、光ガイド部３６ａ，３６ｂが励起光の発散を抑制する機能をも有しているので、励起光源３２ａ，３２ｂから出力された励起光は固体レーザ媒質３１に高効率に照射される。
【００３８】
図３は、光増幅器において固体レーザ媒質３１の高さ方向に励起光源３２ａを２段に配置した場合の構成を示す断面図である。同図（ａ）は、光ガイド部３６ａを有する実施例の断面構成を示し、同図（ｂ）は、光ガイド部３６ａが無いとした場合の比較例の断面構成を示す。この図は、光増幅される光が固体レーザ媒質３１に入出射する面に平行な断面を示しており、また、固体レーザ媒質３１の一方の側における光ウィンドウ部３５ａ，光ガイド部３６ａおよび励起光源３２ａの配置を示している。なお、この図では、媒質収納部および光源収納部の図示は省略されている。図４は、図３に示された実施例および比較例それぞれの場合における高さ方向の励起光照射分布を示す図である。ここでは、２つの励起光源３２ａそれぞれをレーザダイオードアレイスタックとし、両者の間の電気的絶縁をとるために、両者の間には一定の間隔が必要である。
【００３９】
図４に示されるように、比較例の場合（図３（ｂ））の高さ方向の励起光照射分布は、中央付近で励起光照射量が小さい。これに対して、実施例の場合（図３（ａ））の高さ方向の励起光照射分布は、中央付近の励起光照射量の減少が抑制されて、均一化されており、また、比較例の場合と同程度の照射量となっている。これは、光ガイド部３６ａを設けたことに因る効果である。
【００４０】
次に、本実施形態に係る光増幅器１７の変形例について図５〜図１２を用いて説明する。以降に示す図５〜図１１それぞれは、光増幅される光がスラブ形状の固体レーザ媒質３１に入出射する面に平行な断面を示しており、また、固体レーザ媒質の一方の側における光ウィンドウ部，光ガイド部および励起光源の配置を示している。図１２は、光増幅される光がロッド形状の固体レーザ媒質に入出射する面に平行な断面を示しており、また、その周囲における光ガイド部および励起光源の配置を示している。なお、これらの図では、媒質収納部および光源収納部の図示は省略されている。
【００４１】
図５は、第１変形例の構成を示す断面図である。図３（ａ）に示された実施例の構成と比較すると、この図５に示される第１変形例の構成では、光源収納部内に２つの励起光源３２ａが収納されている点、および、光ガイド部３６ａが一方向に長いスラブ形状のものである点、で共通する。しかし、この第１変形例の構成では、２つの励起光源３２ａそれぞれの励起光出射方向は固体レーザ媒質３１の中心部の方向に傾いている。このような構成とすることにより、図４に示した実施例の場合（図３（ａ））の励起光照射分布に見られた中央付近の励起光照射量の減少が更に僅かなものとなり、高さ方向の励起光照射分布が更に均一化される。
【００４２】
図６は、第２変形例の構成を示す断面図である。図３（ａ）に示された実施例の構成と比較すると、この図６に示される第２変形例の構成では、光源収納部内に２つの励起光源３２ａが収納されている点、および、光ガイド部３６ａが一方向に長いスラブ形状のものである点、で共通する。しかし、この第２変形例の構成では、２つの励起光源３２ａそれぞれの励起光出射方向は固体レーザ媒質３１の端部の方向に傾いている。このような構成とすることにより、固体レーザ媒質３１において中心部より上下部分に励起光照射量が多くなって、固体レーザ媒質３１における熱レンズ効果等の発生が抑制される。
【００４３】
なお、第１変形例（図５）および第２変形例（図６）の如く２つの励起光源３２ａそれぞれの励起光出射方向を設定するに際しては、２つの励起光源３２ａそれぞれの出力光強度分布や固体レーザ媒質３１からの抽出エネルギ等に応じて、各々の励起光出射方向を設定する。
【００４４】
図７は、第３変形例の構成を示す断面図である。図３（ａ）に示された実施例の構成と比較すると、この図７に示される第３変形例の構成では、光源収納部内に２つの励起光源３２ａが収納されている点、および、２つの励起光源３２ａそれぞれの励起光出射方向が固体レーザ媒質３１の側面に垂直である点、で共通する。しかし、この第３変形例の構成では、光ガイド部１３６ａの断面形状は、光源収納部の内部から外部へ向かって次第に幅が小さくなっており、図示されるようにテーパ形状となっている。このような構成とすることにより、励起光の集光効果が得られ、固体レーザ媒質３１に照射される励起光のエネルギ密度が高まる。これは、励起光源３２ａの高さより固体レーザ媒質３１の高さが小さい場合に有効である。
【００４５】
図８は、第４変形例の構成を示す断面図である。図３（ａ）に示された実施例の構成と比較すると、この図８に示される第４変形例の構成では、光源収納部内に２つの励起光源３２ａが収納されている点、および、２つの励起光源３２ａそれぞれの励起光出射方向が固体レーザ媒質３１の側面に垂直である点、で共通する。しかし、この第４変形例の構成では、２つの励起光源３２ａの配置に応じて光ガイド部２３６ａの励起光入射面が２分割され、その分割された各々の面に垂直な方向が固体レーザ媒質３１の中心部の方向に傾いていて、図示されるように断面形状が五角形となっている。このような構成とすることにより、光ガイド部２３６ａに励起光が入射する際に屈折して、第１変形例（図５）の場合と同様の効果が得られる。
【００４６】
図９は、第５変形例の構成を示す断面図である。図８に示された第４変形例の構成と比較すると、この図９に示される第５変形例の構成では、２つの励起光源３２ａそれぞれの励起光出射方向が固体レーザ媒質３１の中心部の方向に傾いている点で相違する。このような構成とすることによっても、第１変形例（図５）の場合と同様の効果が得られる。
【００４７】
図１０は、第６変形例の構成を示す断面図である。図８に示された第４変形例の構成と比較すると、この図１０に示される第６変形例の構成では、光源収納部に収納される励起光源の個数が３である点、および、これに伴い光ガイド部３３６ａの励起光入射面が３分割されている点、で相違する。その３分割された面のうち、上下の２面に垂直な方向は固体レーザ媒質３１の中心部の方向に傾いていて、中央の１面は固体レーザ媒質３１の側面に平行である。このような構成とすることにより、光ガイド部３３６ａに励起光が入射する際に屈折して、第１変形例（図５）の場合と同様の効果が得られる。
【００４８】
図１１は、第７変形例の構成を示す断面図である。図１０に示された第６変形例の構成と比較すると、この図１１に示される第７変形例の構成では、３つの励起光源３２ａのうち上下の２つの励起光源それぞれの励起光出射方向が固体レーザ媒質３１の中心部の方向に傾いている点で相違する。このような構成とすることによっても、第１変形例（図５）の場合と同様の効果が得られる。
【００４９】
なお、第４変形例（図８），第５変形例（図９），第６変形例（図１０）および第４７変形例（図１１）それぞれにおいても、第３変形例（図７）に示された如く、光ガイド部の断面形状は、光源収納部の内部から外部へ向かって次第に幅が小さくなっているのが好適であり、このような構成とすることにより、励起光の集光効果が得られ、固体レーザ媒質３１に照射される励起光のエネルギ密度が高まる。
【００５０】
図１２は、第７変形例の構成を示す断面図である。この図に示される第７変形例では、固体レーザ媒質１３１は、断面形状が円形であるロッド形状のものである。また、この固体レーザ媒質１３１の周囲に、３組の励起光源３２ａおよび光ガイド部３６ａが配置されている。このように、固体レーザ媒質は、スラブ形状であってもよいし、ロッド形状であってもよい。また、励起光源および光ガイド部を含む組の数は任意である。
【００５１】
次に、本実施形態に係るレーザ発振器２について説明する。図１３は、本実施形態に係るレーザ発振器２の構成図である。この図に示されるレーザ発振器２は、上述した光増幅器１７と、この光増幅器１７に含まれる固体レーザ媒質３１を共振光路上に有する共振器と、を備える。
【００５２】
ミラー４１およびミラー４２は共振器を構成している。一方のミラー４１は、固体レーザ媒質３１で自然放射される光の波長に対して高い反射率を有している。他方のミラー４２は、その波長に対して比較的に低い反射率を有している。
【００５３】
このレーザ発振器２では、励起光源３２ａ，３２ｂから出力された励起光が固体レーザ媒質３１に照射されると、固体レーザ媒質３１に含まれる活性元素が励起され、所定波長の光が放射される。その光はミラー４１およびミラー４２それぞれで反射されて共振器内を往復し、これにより、固体レーザ媒質３１において誘導放射が生じて、その所定波長の光が光増幅される。そして、共振器内で光増幅された光の一部は、ミラー４２を透過して、レーザ発振器２の出力光として外部へ出力される。
【００５４】
このレーザ発振器２に含まれる光増幅器１７は、上述した構成のものであるので、固体レーザ媒質３１が破壊されたときにも励起光源３２ａ，３２ｂを保護することができる。
【図面の簡単な説明】
【００５５】
【図１】本実施形態に係るＭＯＰＡレーザ装置１の構成図である。
【図２】本実施形態に係る光増幅器１７の断面図である。
【図３】光増幅器において固体レーザ媒質３１の高さ方向に励起光源３２ａを２段に配置した場合の構成を示す断面図である。
【図４】図３に示された実施例および比較例それぞれの場合における高さ方向の励起光照射分布を示す図である。
【図５】第１変形例の構成を示す断面図である。
【図６】第２変形例の構成を示す断面図である。
【図７】第３変形例の構成を示す断面図である。
【図８】第４変形例の構成を示す断面図である。
【図９】第５変形例の構成を示す断面図である。
【図１０】第６変形例の構成を示す断面図である。
【図１１】第７変形例の構成を示す断面図である。
【図１２】第８変形例の構成を示す断面図である。
【図１３】本実施形態に係るレーザ発振器２の構成図である。
【符号の説明】
【００５６】
１…ＭＯＰＡレーザ装置、２…レーザ発振器、１１…レーザ光源、１２…光増幅器、１３…ビームエクスパンダ、１４…光学マスク、１５…スペーシャルフィルタ、１６…ファラデーローテータ、１７…光増幅器、１８…スペーシャルフィルタ、１９…ポラライザ、２１〜２９…ミラー、３１…固体レーザ媒質、３２ａ，３２ｂ…励起光源、３３…媒質収納部、３４ａ，３４ｂ…光源収納部、３５ａ，３５ｂ…ウィンドウ部、３６ａ，３６ｂ…光ガイド部、４１，４２…ミラー。
【図１】
2005158886.tif 000003
【図２】
2005158886.tif 000004
【図３】
2005158886.tif 000005
【図４】
2005158886.tif 000006
【図５】
2005158886.tif 000007
【図６】
2005158886.tif 000008
【図７】
2005158886.tif 000009
【図８】
2005158886.tif 000010
【図９】
2005158886.tif 000011
【図１０】
2005158886.tif 000012
【図１１】
2005158886.tif 000013
【図１２】
2005158886.tif 000014
【図１３】
2005158886.tif 000015